(57)【要約】【課題】色校正に伴うレイアウトデータの修正を、ＲＩＰ装置において、かつ必要な箇所だけ行える印刷データ処理システムを提供する。【解決手段】ＲＩＰ処理部を備える出力装置が、レシピファイルＲＦの生成と、レシピファイルＲＦに基づいてＲＧＢ表色系を有する写真原稿データＰＴ１のＣＭＹＫ変換処理と補正処理とを行う、画像変換処理部を備える。ＲＩＰ処理後の校正刷りの結果、特定の写真の色再現が不適切な場合は、出力装置の画像変換処理部において当該写真原稿データＰＴ１についてのレシピファイルＲＦを再設定し、再度画像変換処理とＲＩＰ処理とを行う。これにより、レイアウトデータ作成装置まで遡ってレイアウトデータＬＤ全体を修正せずとも、適切な印刷データを得ることができる。【選択図】　　　　図１０
2004058438.tif 000002
【特許請求の範囲】
【請求項１】
印刷物のレイアウトを定める印刷データをラスタライズ処理するラスタライズ処理手段を備える印刷データ処理装置であって、
ＲＧＢ表色系により表されるデジタルデータである第１写真原稿データをＣＭＹＫ表色系により表される第２写真原稿データへと変換する色空間変換処理を行う色空間変換手段、
前記第２写真原稿データの補正処理を行う補正手段、
および、
印刷物のレイアウトを行った結果を表すレイアウト情報と前記第１写真原稿データとの関連づけを、前記第２写真原稿データとの関連づけに変更する差替処理を行う差替手段、
を含む画像変換手段、
をさらに備え、
前記画像変換手段において実行されるべき処理内容を記述する設定ファイルには前記レイアウト情報が含まれることを特徴とする印刷データ処理装置。
【請求項２】
請求項１に記載の印刷データ処理装置であって、
前記差替処理が実行された後のレイアウトデータを印刷データとしてラスタライズ処理に供することを特徴とする印刷データ処理装置。
【請求項３】
請求項１または請求項２に記載の印刷データ処理装置であって、
前記設定ファイルの生成と修正とを行う設定ファイル生成手段、
をさらに備え、
前記印刷データ基づく校正刷りの結果が適切でない場合に、前記設定ファイル生成手段において設定ファイルを再設定し、新たな設定ファイルに基づいて前記画像変換手段において再画像変換処理を行うことを特徴とする印刷データ処理装置。
【請求項４】
請求項１ないし請求項３のいずれかに記載の印刷データ処理装置であって、
前記第１写真原稿データは、デジタルカメラによって取得されたデータに基づくことを特徴とする印刷データ処理装置。
【請求項５】
請求項４に記載の印刷データ処理装置であって、
前記第１写真原稿データは、デジタルカメラによって取得された後、デジタルカメラの機種に依存しない基準表色系により表されるデータに変換された後に与えられていることを特徴とする印刷データ処理装置。
【請求項６】
印刷物のレイアウトを定める印刷データを処理するシステムであって、
ａ）印刷物のレイアウトを定めるレイアウトデータを作成するレイアウトデータ作成装置と、
ｂ−１）前記レイアウトの対象となっている写真に相当し、ＲＧＢ表色系により表された第１写真原稿データに対し、所定の画像変換処理を施して第２写真原稿データを得る画像変換手段、
および、
ｂ−２）前記第２写真原稿データを含む印刷データに対しラスタライズ処理を行うラスタライズ処理手段、
を備える印刷データ処理装置と、
を備え、
前記レイアウトデータ作成装置が、
ａ−１）前記第１写真原稿データが表現する写真の、印刷物におけるレイアウトを行い、その結果を前記第１写真原稿データと関連づけたレイアウト情報として保持するレイアウト作成手段と、
ａ−２）前記画像変換処理において実行されるべき処理内容を記述する設定ファイルに前記レイアウト情報を合成する、レイアウト情報合成手段と、
を備え、
前記印刷データ処理装置の画像変換手段が、
ｂ−１−１）前記設定ファイルに基づき前記第１写真原稿データをＣＭＹＫ表色系により表される第２写真原稿データへと変換する色空間変換処理を行う色空間変換手段、
ｂ−１−２）前記設定ファイルに基づき前記第２写真原稿データの補正処理を行う補正手段、
ｂ−１−３）前記レイアウト情報と前記第１写真原稿データとの関連づけを、前記第２写真原稿データとの関連づけに変更する差替処理を行う差替手段、
および、
ｂ−１−４）前記設定ファイルの生成と修正とを行う設定ファイル生成手段、を備え、
前記印刷データが、前記差替処理が行われたレイアウト情報を含み、前記印刷データ基づく校正刷りの結果が適切でない場合に、前記設定ファイル生成手段において設定ファイルを再設定し、新たな設定ファイルに基づいて前記画像変換手段において再画像変換処理を行うことを特徴とする印刷データ処理システム。
【請求項７】
印刷物のレイアウトを定める印刷データを処理する方法であって、
ａ−１）所定の設定ファイルに基づきＲＧＢ表色系により表されるデジタルデータである第１写真原稿データをＣＭＹＫ表色系により表される第２写真原稿データへと変換する色空間変換処理を行う色空間変換工程、
ａ−２）前記設定ファイルに基づき前記第２写真原稿データの補正処理を行う補正工程、
および、
ａ−３）印刷物のレイアウトを行った結果を表すレイアウト情報と前記第１写真原稿データとの関連づけを、前記第２写真原稿データとの関連づけに変更する差替処理を行う差替工程、
を含む画像変換工程と、
ｂ）印刷データをラスタライズ処理するラスタライズ処理工程と、
を備え、
前記画像変換工程と前記ラスタライズ処理工程とが一の装置において行われることを特徴とする印刷データ処理方法。
【請求項８】
請求項７に記載の印刷データ処理方法であって、
前記ラスタライズ工程を経た印刷データに基づき校正刷りを行う校正印刷工程をさらに備え、
かつ、
前記画像変換工程が、
ａ−４）前記設定ファイルの生成と修正とを行う設定ファイル生成工程、
をさらに備え、
前記校正刷りの結果が適切でない場合に、前記設定ファイル生成工程において前記設定ファイルを再設定し、新たな設定ファイルに基づいて前記画像変換工程と前記ラスタライズ処理工程とを再度行うことを特徴とする印刷データ処理方法。
【請求項９】
コンピュータにおいて実行されることにより、請求項１ないし請求項６のいずれかの印刷データ処理装置として機能することを特徴とするプログラム。
【請求項１０】
コンピュータにおいて実行されることにより、請求項１ないし請求項６のいずれかの印刷データ処理装置における画像変換手段として機能することを特徴とするプログラム。
【発明の詳細な説明】
【０００１】
【発明の属する技術分野】
本発明は、商業印刷用の印刷システムにおける、印刷データのラスタライズ処理技術に関する。
【０００２】
【従来の技術】
デジタルカメラの性能向上に伴い、従来の銀塩カメラにて撮影した写真と遜色のない画像を得ることができるようになってきている。これに伴い、銀塩カメラにて撮影した写真（アナログ写真）に代わり、デジタルカメラで撮影して得られた写真データを、印刷用写真原稿として使用する（入稿する）ことが日常化しつつある。印刷データを制作するフローも、必然的に従来とは異なってきている。
【０００３】
例えば、アナログ写真を用いて印刷物を作成する場合、写真に関しては図１１（ａ）に示すような処理フローにより行われる。まず、被写体を銀塩カメラにて撮影し（ステップＳ１０１）、フィルムを現像する（ステップＳ１０２）ことで写真原稿が得られる（ステップＳ１０３）。次に、得られた写真原稿について、作成しようとする印刷物におけるおよそのレイアウト（配置、大きさ、向きなど）を定めるラフレイアウト（ステップＳ１０４）を行った後、ＣＭＹＫ表色系に従って色分解を行うスキャナ分解（ステップＳ１０５）がなされる。スキャナ分解の前にラフレイアウトを行うのは、最良な品質の印刷物を得るためには、最終的にレイアウトされた状態を踏まえたスキャナ分解を行う必要があるからである。そして、レイアウトソフトウェアによって、スキャナにて取り込まれた写真データと文字・線画データとがレイアウトされる（ステップＳ１０６）。レイアウトが完成すると、レイアウト内容を含む印刷データはＲＩＰ（ラスターイメージプロセッサ）に受け渡され、各色版ごとに、ベクターデータとして記述されている印刷データを、印刷機が解析可能なラスターデータに変換するラスタライズ処理（ＲＩＰ処理）が実行される（ステップＳ１０７）。その後、各色版ごとに、色校正のための校正刷り（ゲラ刷り）が行われ（ステップＳ１０８）る。その結果、色再現性に問題がなければ、出力処理がなされ、不十分であれば、色指定等を修正して、再びスキャナ分解が実行されることとなる（ステップＳ１０９、Ｓ１１０）。
【０００４】
これに対し、デジタルカメラで得られる写真データを用いた場合の処理フローは、例えば図１１（ｂ）のようになる。まず被写体をデジタルカメラにて撮影（ステップＳ１１１）した後、画像処理ソフトウェアにて、例えばトリミング等の画像処理を行う（ステップＳ１１２）。なお、デジタルカメラで撮影して得られる写真データは一般にＲＧＢ表色系に基づくデータであるので、画像処理もＲＧＢ表色系に基づいて行われる。画像処理を施すことで、デジタルデータとしての写真原稿データが完成する（ステップＳ１１３）。次に、レイアウトソフトウェアにおいて、この写真原稿データを取り込んで、文字・線画原稿データをも含めた印刷物全体についてのラフレイアウトが行われる（ステップＳ１１４）。そして、印刷物についてのおよそのレイアウトが確定した時点で、写真原稿データをＣＭＹＫ表色系を有するデータに変換するＣＭＹＫ変換処理を画像処理ソフトウェア等で行い（ステップＳ１１５）、これをレイアウトデータと関連づける（差し替える）ことでレイアウトが完成する（ステップＳ１１６）。レイアウトが完成すると、ＲＩＰ処理、色校正のための校正刷りが、アナログ写真の場合と同様に実行される（ステップＳ１１７，Ｓ１１８）。その結果、色再現性に問題がなければ、出力処理がなされ、不十分であれば、ＣＭＹＫ変換処理に際しての色指定等を修正する（ステップＳ１１９、Ｓ１２０）。
【０００５】
すなわち、デジタルカメラで撮影した写真データを用いる場合、現像や集版などの処理が不要な一方、出力に至るまでデジタルデータとしてソフトウェア上で処理が可能であり、工程が著しく短縮されるという利点がある。
【０００６】
【発明が解決しようとする課題】
しかしながら、アナログ写真の場合であっても、デジタルカメラで取得した写真データの場合であっても、校正刷りの結果が不十分であれば、制作フローをさかのぼって必要な修正を行い、再処理する必要がある点では同一である。特に、後者の場合は、出力までの各段階で全てデジタルデータとして画像を扱っているにもかかわらず、色再現性の問題には関係のないレイアウトの時点までさかのぼらねばならないのは、処理効率を向上させる際の阻害要因となっている。
【０００７】
本発明は、上記課題に鑑みてなされたものであり、レイアウト段階まで制作フローをさかのぼることなく、印刷データの色再現性を修正することができる印刷システムを提供することを目的とする。
【０００８】
【課題を解決するための手段】
上記課題を解決するため、請求項１の発明は、印刷物のレイアウトを定める印刷データをラスタライズ処理するラスタライズ処理手段を備える印刷データ処理装置であって、ＲＧＢ表色系により表されるデジタルデータである第１写真原稿データをＣＭＹＫ表色系により表される第２写真原稿データへと変換する色空間変換処理を行う色空間変換手段、前記第２写真原稿データの補正処理を行う補正手段、および、印刷物のレイアウトを行った結果を表すレイアウト情報と前記第１写真原稿データとの関連づけを、前記第２写真原稿データとの関連づけに変更する差替処理を行う差替手段、を含む画像変換手段、をさらに備え、前記画像変換手段において実行されるべき処理内容を記述する設定ファイルには前記レイアウト情報が含まれることを特徴とする。
【０００９】
また、請求項２の発明は、請求項１に記載の印刷データ処理装置であって、前記差替処理が実行された後のレイアウトデータを印刷データとしてラスタライズ処理に供することを特徴とする。
【００１０】
また、請求項３の発明は、請求項１または請求項２に記載の印刷データ処理装置であって、前記設定ファイルの生成と修正とを行う設定ファイル生成手段、をさらに備え、前記印刷データ基づく校正刷りの結果が適切でない場合に、前記設定ファイル生成手段において設定ファイルを再設定し、新たな設定ファイルに基づいて前記画像変換手段において再画像変換処理を行うことを特徴とする。
【００１１】
また、請求項４の発明は、請求項１ないし請求項３のいずれかに記載の印刷データ処理装置であって、前記第１写真原稿データは、デジタルカメラによって取得されたデータに基づくことを特徴とする。
【００１２】
また、請求項５の発明は、請求項４に記載の印刷データ処理装置であって、前記第１写真原稿データは、デジタルカメラによって取得された後、デジタルカメラの機種に依存しない基準表色系により表されるデータに変換された後に与えられていることを特徴とする。
【００１３】
また、請求項６の発明は、印刷物のレイアウトを定める印刷データを処理するシステムであって、ａ）印刷物のレイアウトを定めるレイアウトデータを作成するレイアウトデータ作成装置と、ｂ−１）前記レイアウトの対象となっている写真に相当し、ＲＧＢ表色系により表された第１写真原稿データに対し、所定の画像変換処理を施して第２写真原稿データを得る画像変換手段、および、ｂ−２）前記第２写真原稿データを含む印刷データに対しラスタライズ処理を行うラスタライズ処理手段、を備える印刷データ処理装置と、を備え、前記レイアウトデータ作成装置が、ａ−１）前記第１写真原稿データが表現する写真の、印刷物におけるレイアウトを行い、その結果を前記第１写真原稿データと関連づけたレイアウト情報として保持するレイアウト作成手段と、ａ−２）前記画像変換処理において実行されるべき処理内容を記述する設定ファイルに前記レイアウト情報を合成する、レイアウト情報合成手段と、を備え、前記印刷データ処理装置の画像変換手段が、ｂ−１−１）前記設定ファイルに基づき前記第１写真原稿データをＣＭＹＫ表色系により表される第２写真原稿データへと変換する色空間変換処理を行う色空間変換手段、ｂ−１−２）前記設定ファイルに基づき前記第２写真原稿データの補正処理を行う補正手段、ｂ−１−３）前記レイアウト情報と前記第１写真原稿データとの関連づけを、前記第２写真原稿データとの関連づけに変更する差替処理を行う差替手段、および、ｂ−１−４）前記設定ファイルの生成と修正とを行う設定ファイル生成手段、を備え、前記印刷データが、前記差替処理が行われたレイアウト情報を含み、前記印刷データ基づく校正刷りの結果が適切でない場合に、前記設定ファイル生成手段において設定ファイルを再設定し、新たな設定ファイルに基づいて前記画像変換手段において再画像変換処理を行うことを特徴とする。
【００１４】
また、請求項７の発明は、印刷物のレイアウトを定める印刷データを処理する方法であって、ａ−１）所定の設定ファイルに基づきＲＧＢ表色系により表されるデジタルデータである第１写真原稿データをＣＭＹＫ表色系により表される第２写真原稿データへと変換する色空間変換処理を行う色空間変換工程、ａ−２）前記設定ファイルに基づき前記第２写真原稿データの補正処理を行う補正工程、および、ａ−３）印刷物のレイアウトを行った結果を表すレイアウト情報と前記第１写真原稿データとの関連づけを、前記第２写真原稿データとの関連づけに変更する差替処理を行う差替工程、を含む画像変換工程と、ｂ）印刷データをラスタライズ処理するラスタライズ処理工程と、を備え、前記画像変換工程と前記ラスタライズ処理工程とが一の装置において行われることを特徴とする。
【００１５】
また、請求項８の発明は、請求項７に記載の印刷データ処理方法であって、前記ラスタライズ工程を経た印刷データに基づき校正刷りを行う校正印刷工程をさらに備え、かつ、前記画像変換工程が、ａ−４）前記設定ファイルの生成と修正とを行う設定ファイル生成工程、をさらに備え、前記校正刷りの結果が適切でない場合に、前記設定ファイル生成工程において前記設定ファイルを再設定し、新たな設定ファイルに基づいて前記画像変換工程と前記ラスタライズ処理工程とを再度行うことを特徴とする。
【００１６】
また、請求項９の発明は、コンピュータにおいて実行されることにより、請求項１ないし請求項６のいずれかの印刷データ処理装置として機能することを特徴とする。
【００１７】
また、請求項１０の発明は、コンピュータにおいて実行されることにより、請求項１ないし請求項６のいずれかの印刷データ処理装置における画像変換手段として機能することを特徴とする。
【００１８】
【発明の実施の形態】
＜システム構成＞
図１は、本発明の実施の形態に係る印刷システム１の構成を示す図である。印刷システム１は、デジタルカメラ２にて取得された写真データから、印刷に適した写真原稿データを作成する写真原稿作成装置３と、写真原稿データや文書データ、線画データ等を用いて、作成しようとする印刷物のレイアウトを行うためのレイアウトデータ作成装置４と、印刷データをラスタライズ処理（ＲＩＰ処理）した後、印刷する出力装置７とを主として備える。すなわち、出力装置７は、ＲＩＰ処理装置と、印刷装置とが組み合わされて構成されるものである。なお、写真データはイメージスキャナ６等の入力装置によって取得する態様でもよい。また、ＲＩＰ処理がなされた印刷データに基づく校正刷りを行うための校正装置８をさらに備える態様でもよい。校正装置８としては、例えばＤＤＣＰ（Ｄｉｒｅｃｔ　Ｄｉｇｉｔａｌ　Ｃｏｌｏｒ　Ｐｒｏｏｌｅｒ）などを用いることができる。
【００１９】
デジタルカメラ２には、印刷物として要求される画質を満足する画像を取得できるだけの解像度、好ましくは６００万画素以上の解像度を備えたものが用いられる。デジタルカメラ２によって取得される写真データは、ＲＧＢ表色系にて表現されるデータである。デジタルカメラ２と写真原稿作成装置３との間をＵＳＢケーブルなどの接続ケーブルＣＢ１により接続することにより、あるいは、デジタルカメラ２において記録可能な可搬性の記録媒体（図示せず）に当該写真データを記録し、これを写真原稿作成装置３において読み取ることにより、取得された写真データは写真原稿作成装置３へと受け渡されることとなる。
【００２０】
写真原稿作成装置３は、汎用のパーソナルコンピュータによって実現されるものである。すなわち、写真原稿作成装置３には、ＣＰＵ３１ａ、ＲＯＭ３１ｂ、およびＲＡＭ３１ｃから構成され、後述する各機能を実現する制御部３１、ハードディスクなどにより構成され、デジタルカメラから受け取った写真データなどを保存するための記憶部３２、オペレータが各種の指示を入力するためのマウスやキーボードなどの操作部３３、ディスプレイ等の表示部３４、種々の可搬性の記録媒体との間でデータのリード／ライトを行うためのＲ／Ｗ部３５、および他の装置等との間でデータの受け渡しを行うためのインターフェースとしての通信部３６が主として備わっている。
【００２１】
レイアウトデータ作成装置４も、やはり、汎用のパーソナルコンピュータによって実現されるものであり、基本的には写真原稿作成装置３と同一の構成を有している。すなわち、レイアウトデータ作成装置４にも、ＣＰＵ４１ａ、ＲＯＭ４１ｂ、およびＲＡＭ４１ｃから構成される後述する各機能を実現する制御部４１、記憶部４２、操作部４３、表示部４４、Ｒ／Ｗ部４５、および通信部４６が主として備わっている。レイアウトデータ作成装置４においては、操作部４３を通じて指示される指示内容に基づいて、表示部４４に作業状態を表示させつつ印刷物のレイアウトを行うことができる。
【００２２】
出力装置７は、ＣＰＵ７１ａ、ＲＯＭ７１ｂ、およびＲＡＭ７１ｃから構成される後述する各機能を実現する制御部７１、記憶部７２、操作部７３、表示部７４、Ｒ／Ｗ部７５、および通信部７６など、コンピュータによりその機能が実現される各部を備わっているのに加えて、所定の印刷用紙に印刷を行う印刷部７７をさらに備えている。
【００２３】
なお、写真原稿作成装置３とレイアウトデータ作成装置４との間、およびレイアウトデータ作成装置４と出力装置７との間におけるデータの受け渡しは、それぞれ通信線ＣＢ２、ＣＢ３を介して行われる態様であってもよいし、可搬性の記録媒体を介して行われる態様であってもよい。
【００２４】
図２は、写真原稿作成装置３の制御部３１において実現される機能を説明するための図である。制御部３１においては、記憶部３２に記憶されている所定のプログラム３２１が実行されることにより、ＣＰＵ３１ａ、ＲＯＭ３１ｂ、およびＲＡＭ３１ｃの作用によって、色空間調整部３１１が実現される。
【００２５】
色空間調整部３１１はデジタルカメラ２に固有の色空間に基づいて記述されている写真データを、表示デバイスに依存しない（デバイスインディペンデントな）色空間に基づいて記述された写真データに変換する色空間変換処理を行う。この変換を行うことにより、写真データが、レイアウトデータ作成装置４や出力装置７等、他の表示デバイスに写真原稿データとして受け渡されたとしても、それぞれの表示デバイスにおいて同じ画像が再現されることになる。
【００２６】
写真原稿作成装置３は、さらに、所定のプログラムの実行により、画像の不要部分をトリミングするためのトリミング処理部３１２と、不要な画像内容を消去あるいは置換するレタッチ処理を行うためのレタッチ処理部３１３とを備える態様であってもよい。
【００２７】
これらの処理部をさらに備える場合、写真原稿作成装置３は、上述のような処理を経た後、色空間変換処理を行うこととなる。色変換処理を経ることで得られる写真データは、写真原稿データとしてレイアウトデータ作成装置４に受け渡される。
【００２８】
図３は、レイアウトデータ作成装置４の制御部４１において実現される機能を説明するための図である。制御部４１においては、記憶部４２に記憶されている所定のプログラム４２１、４２２が実行されることにより、ＣＰＵ４１ａ、ＲＯＭ４１ｂ、およびＲＡＭ４１ｃの作用によって、レイアウト作成部５１と、処理内容生成部５２とが実現される。レイアウト作成部５１はいわゆるレイアウトソフトウェアであるプログラム４２１により、処理内容生成部５２はプログラム４２２により実現されるものとする。また、プログラム４２２は、プログラム４２１に対するプラグインプログラムとして実行されるものとする。
【００２９】
レイアウト作成部５１は、印刷物の各要素（文字、写真、線画）に対応するオブジェクトについてのレイアウトを定めたレイアウトデータを作成するために備わる。処理内容生成部５２は、レイアウト作成部５１において当該写真原稿データに対し定められたレイアウト情報を、後述するレシピファイルＲＦに合成するために備わる。レイアウト情報が含まれるレシピファイルＲＦをレイアウトデータとともに出力装置７に受け渡すことにより、出力装置７の後述する画像変換処理部８１において、実際に写真原稿データがレイアウトされる状態（サイズ、向きなど）を考慮した変換処理や画像補正処理が行われることになる。
【００３０】
レイアウト作成部５１は、印刷物のレイアウトを定めるために、レイアウト情報保持部５１１と、座標処理部５１２と、変形処理部５１３と、線画処理部５１４と文書データ処理部５１５とを主として備える。
【００３１】
印刷物のレイアウトは、記憶部４２に保存されているオブジェクトを操作部４３により選択し、さらにドラッグアンドドロップなどの操作がなされることにより、あるいは、操作部４３を用いて直接にデータを作成することにより、レイアウト作成部５１の各部が機能し、実行される。なお、レイアウト時には、写真原稿データはＲＧＢ表色系のまま取り扱われる。
【００３２】
レイアウト情報保持部５１１は、次述する各部によって各オブジェクトをレイアウトすることで定められるレイアウト情報（座標、サイズ、回転など）を、常に最新の状態に保持し、変更がなされる度にこれを更新する。なお、写真原稿データのレイアウトに際しては、表示部４４における画面表示上のデータと、レイアウト情報とに対し変更が与えられるのみで、元々のオブジェクトのデータは記憶部４２に保持されたままである。すなわち、レイアウト情報には、もとの写真データファイルとの関連づけのためのファイル情報も含まれる。
【００３３】
座標処理部５１２は、操作部４３を通じた設定指示に基づいて、レイアウトの対象となるそれぞれのオブジェクトの座標を設定する。例えば、矩形の写真原稿データであれば、左上角を基準点として、座標処理部５１２はその座標位置を設定指示に従って定める。
【００３４】
変形処理部５１３は、操作部４３を通じた設定指示に基づいて、レイアウトの対象となるそれぞれのオブジェクトの変形処理を行う。変形処理部５１３は、印刷物上でオブジェクトが占める領域のサイズ（縦、横）を変更するためのサイズ処理部５１３Ｓとオブジェクトの向き（姿勢）を変更するための回転処理部５１３Ｒとを備えている。
【００３５】
線画処理部５１４は、線種や線幅の変更など、線画データに特有の種々の処理を行う。操作部４３を用いて直接に線画データを作成する際の処理も、線画処理部５１４が担う。
【００３６】
文書データ処理部５１５は、文字原稿の流し込みや、フォント、段落の設定・変更など、文書データに特有の種々の処理を担う。操作部４３を用いて直接に文書データを作成する際の処理も、文書データ処理部５１５が担う。
【００３７】
レイアウト作成部５１の各部において上述のような種々の処理を行うことで、各オブジェクトについてのレイアウト情報が定められると、所望する印刷物についてのレイアウトが定まることになる。すなわち、各オブジェクトについてのレイアウト情報が設定されたレイアウトデータが作成されることになる。作成されたレイアウトデータは、記憶部４２に保存される。さらに、レイアウト情報は処理内容生成部５２によってレシピファイルＲＦに合成される。
【００３８】
ここで、レシピファイルＲＦについて説明する。レシピファイルＲＦとは、出力装置７の画像変換処理部８１において行うべき画像処理の処理内容をまとめた設定ファイルであり、処理内容生成部５２の後述するレシピファイル生成部５２３において作成され、記憶部４２に保存されている。強調したい色成分や、色再現において重要視されるポイントは、被写体の種類ごとに異なるので、レシピファイルＲＦは、通常、被写体の種類に対応して、最適なパラメータ設定がなされた複数のファイルが用意される。図４は、レシピファイルＲＦのファイル構造を模式的に示す図である。図４（ａ）に示すように、レシピファイルＲＦは、ＩＣＣプロファイル６１と、特性設定パラメータ６２と、微調整パラメータ６３とを備えている。画像変換処理部８１においては、図４（ａ）において左側に記載されている内容からその内容が参照され、対応する処理がなされていく。
【００３９】
ＩＣＣプロファイル６１は、写真原稿データの色再現性を保つために設定される、各画像に共通に用いられる基準プロファイルである。
【００４０】
特性設定パラメータ６２は、被写体の種類等、画像の内容に応じて、写真原稿データの特性を定める種々の項目を設定するためのものである。すなわち、特性設定パラメータ６２の各項目を、被写体の種類に応じて設定することで、被写体に適したレシピファイルＲＦが作成されることになる。図５は、特性設定パラメータ６２の設定項目を一覧として示す設定項目テーブルＴＢＬ１を示す図である。特性設定パラメータ６２にこれらの設定項目について、階調レベル設定Ｐ１は、網点濃度の濃淡レンジの設定を行う項目である。トーンカーブ設定Ｐ２は、トーンカーブにより中間調の設定や半調の設定を行う項目である。カラーコレクション設定Ｐ３は、インキの色特性の理想からのずれを補正するための項目である。Ｋ版設定Ｐ４とは、ＣＭＹの各色の重なり部分をＫ版に置き換えるＵＣＲやＧＣＲなどの設定を行う項目である。グレーバランス設定Ｐ５とは、適正なグレーを表現するためのＣＭＹ各色のバランスを設定する項目である。シャープネス設定Ｐ６とは、ＵＳＭ（アンシャープマスキング）などにより、画像のシャープネスを強めるための項目である。解像度設定Ｐ７とは、ピクセル補間処理などで画像の解像度を変換するための項目である。
【００４１】
また、図６は、代表的な被写体の画像処理に際して要求される画像補正の内容を、一覧として示す補正内容テーブルＴＢＬ２を示す図である。補正内容テーブルＴＢＬ２において示された特徴に応じて、特性設定パラメータ６２の各項目が適宜設定されたレシピファイルＲＦが作成され、各被写体を含む画像の処理に際して利用されることになる。
【００４２】
また、微調整パラメータ６３は、そうした特性設定パラメータ６２の各項目についてさらに微調整を加えるために設定されるパラメータである。図７は、微調整パラメータ６３の代表的な処理メニューを示す微調整メニューテーブルＴＢＬ３を示す図である。
【００４３】
出力装置７の画像変換処理部８１において、レシピファイルＲＦに基づいて画像変換処理を行うことにより、単なるＣＭＹＫ変換のみでは印刷物上に再現しきれない、あるいは強調されない被写体の質感をより高める目的とする画像補正処理が可能となる。
【００４４】
このようなレシピファイルＲＦの処理を主として担うのが、処理内容生成部５２である。処理内容生成部５２は、レシピファイル選択部５２１と、レシピファイル合成部５２２と、レシピファイル生成部５２３とを備える。
【００４５】
レシピファイル選択部５２１は、レイアウトされたそれぞれの写真原稿データごとに、その画像内容に適したレシピファイルＲＦを選択するためのものである。またレシピファイル合成部５２２は、選択されたレシピファイルＲＦに対し、レイアウト情報を合成するためのものである。オペレータが、操作部４３を通じてレシピファイル選択部５２１を機能させることにより、レイアウト対象となったそれぞれの写真原稿データに適したレシピファイルＲＦを選択すると、レシピファイル合成部５２２において、それぞれの写真原稿データのレイアウト情報が、レシピファイルに合成されることとなる。図４（ｂ）は、レイアウト情報６４が合成されたレシピファイルであるレシピファイルＲＦ１の構成を示している。レイアウト情報６４は、ＩＣＣプロファイル６１と特性設定パラメータ６２との間に位置するように合成される。これにより、画像変換処理部８１においては、ＩＣＣプロファイルに引き続き、レイアウト情報６４が参照されることになる。レシピファイル生成部５２３は、所望する画像補正処理を出力装置７において行わせるために、オペレータ自らが特性設定パラメータ６２や微調整パラメータ６３を適宜設定してレシピファイルＲＦを作成するためのものである。
【００４６】
レシピファイルＲＦは、上述したように、処理内容生成部５２によってレイアウト情報と合成された後、操作部４３を通じたオペレータからの指示に応じて、出力装置７の画像変換処理部８１に対応するレイアウトデータと共に受け渡される。なお、実際には、レイアウトに付随して、レイアウトの対象となった各オブジェクトのデータ（写真原稿データ、文書データ、線画データ）も受け渡される。あるいは、ＰｏｓｔＳｃｒｉｐｔ（アドビシステムズ社の登録商標）形式やＰＤＦ（Ｐｏｒｔａｂｌｅ　Ｄｏｃｕｍｅｎｔ　Ｆｏｒｍａｔ）形式のデータのように、各オブジェクトのデータがレイアウトデータに埋め込まれたデータとして受け渡されてもよい。
【００４７】
図８は、出力装置７の制御部７１において実現される機能を説明するための図である。制御部７１においては、記憶部７２に記憶されている所定のプログラム７２１〜７２３が実行されることにより、ＣＰＵ７１ａ、ＲＯＭ７１ｂ、およびＲＡＭ７１ｃの作用によって、画像変換処理部８１と、ＲＩＰ処理部８２と、印刷制御部８３とが実現される。画像変換処理部８１はいわゆる画像処理ソフトウェアであるプログラム７２１により、ＲＩＰ処理部８２はプログラム７２２により、印刷制御部８３はプログラム７２３により実現されるものとする。
【００４８】
画像変換処理部８１は、レイアウトデータ作成装置４から受け渡されたレイアウトデータにおいてレイアウトの対象となっているそれぞれの写真原稿データごとに、対応するレシピファイルＲＦの内容に従って、写真原稿データをＣＭＹＫ変換する色空間変換処理と、所定の画像補正処理とを行い、さらに写真原稿データの差替処理を行って、印刷データを得るために備わる。
【００４９】
画像変換処理部８１は、レシピファイル解析部８１２と、色空間変換部８１３と、色調補正部８１４と、シャープネス補正部８１５と、解像度変換部８１６と、レシピファイル生成部８１７と、レイアウト情報差替部８１８とを主として備える。
【００５０】
レシピファイル解析部８１２は、レシピファイルＲＦの内容を解析する。色空間変換部８１３は、ＣＭＹＫ変換した写真原稿データを生成する。ＣＭＹＫ変換処理がなされた後、レシピファイルＲＦの特性設定パラメータ６２や微調整パラメータ６３の設定内容に応じて、次述する各部における処理が実行される。
【００５１】
色調補正部８１４は、レシピファイルＲＦの内容に応じて、濃淡レベルの補正やトーンカーブの補正を実行する。シャープネス補正部８１５は、レシピファイルＲＦの内容に応じて、ＵＳＭ補正を実行する。解像度変換部８１６は、レシピファイルＲＦの内容に応じて、画像の解像度を変換する。これらの各部における処理がなされた写真原稿データは、いったん記憶部７２に保存される。
【００５２】
レイアウト情報差替部８１８は、ＣＭＹＫ変換後の写真原稿データと、レイアウトデータにもともと含まれる写真レイアウト情報とを関連づけた、新たな写真レイアウト情報を作成し、レイアウトデータのもともとの写真レイアウト情報と新たな写真レイアウト情報とを差し替える。この差し替えがなされることにより生成するデータが、印刷データであり、この印刷データが次のＲＩＰ処理に供されることになる。
【００５３】
レシピファイル生成部８１７は、レイアウトデータ作成装置４に備わるレシピファイル生成部５２３と同様に、特性設定パラメータ６２や微調整パラメータ６３を設定することによって、レシピファイルＲＦを生成する。あるいはまた、いったん生成された後、記憶部７２に保存されているレシピファイルＲＦの修正処理も担う。
【００５４】
ＲＩＰ処理部８２は、上述のように、印刷用のＣＭＹＫ表色系を有する写真データと写真レイアウト情報とが関連づけられた印刷データを、印刷機において処理可能な、ＣＭＹＫの各色版のそれぞれに対応するラスターデータとするためのＲＩＰ処理を行うために備わる。ＲＩＰ処理の技術としては、公知の技術が利用できる。
【００５５】
印刷制御部８３は、印刷部７７における印刷の実行を制御するために備わる。印刷制御部８３の制御に従って、印刷部７７が、ＲＩＰ処理により得られた各色版ごとのデータに基づき所定の印刷用紙への印刷を実行する。
【００５６】
＜印刷データ作成処理フロー＞
次に、レイアウトデータ作成装置４におけるレイアウトデータの作成から、出力装置７における印刷に至るまでの処理の流れを説明する。図９は、レイアウトデータの作成から、ＲＩＰ処理に至るまでの処理の流れを説明する図である。
【００５７】
まずはじめに、作成すべき印刷物においてレイアウトの対象となる写真原稿データや文書データが用意され、レイアウト処理がレイアウト作成部５１の機能により実行される（ステップＳ１）。いま、レイアウトデータＬＤを、写真原稿データＰＴ１と文書データＤＤとをレイアウトすることにより作成するものとする。写真原稿データＰＴ１は、人物を撮影して得られたものであり、上述のように、写真原稿作成装置３において、色空間変換処理されたうえで記憶部４２へ保存されたものである。文書データＤＤは、例えばテキストファイル形式のデータとして、記憶部４２へ保存される。オペレータが表示部４４においてレイアウト状況を視認しつつ、操作部４３を操作してレイアウト処理を実行することで、写真原稿データＰＴ１や文書データＤＤのレイアウトが決定される。その際、レイアウトデータＬＤの構成要素である写真原稿データＰＴ１や文書データＤＤのレイアウト情報は、レイアウトの実行中には常に変更されうるが、レイアウト情報保持部５１１により最新の状態に保持され、レイアウトの決定とともに確定される。
【００５８】
図９の場合において、写真原稿データＰＴ１についての確定したレイアウト情報が写真レイアウト情報ＬＩ１であるとする。写真レイアウト情報ＬＩ１は、写真原稿データＰＴ１が、座標（ｘ１、ｙ１）を基準座標として、原サイズに比して１５０％に拡大された状態でレイアウトされることを示している。
【００５９】
写真レイアウト情報ＬＩ１が定まると、次に、処理内容生成部５２における処理内容生成処理が実行される（ステップＳ２）。オペレータが、記憶部４２に記憶された複数のレシピファイルＲＦのなかから、レイアウトが確定した写真原稿データＰＴ１に対し行うべき画像処理内容を含むレシピファイルＲＦを選択すると、写真レイアウト情報ＬＩ１をレシピファイルＲＦに合成する処理が実行される。合成後のレシピファイルＲＦは記憶部４２に保存される。
【００６０】
全てのレイアウト処理が終了すると、レイアウトデータ作成装置４から出力装置７へと、レイアウトデータＬＤ（レイアウト対象となる写真原稿データ等のオブジェクトデータも含む）とレシピファイルＲＦとが受け渡される（ステップＳ３）。
【００６１】
出力装置７においては、受け取ったこれらのデータをいったん記憶部７２に保存する。そして、オペレータにより操作部７３を通じて所定の実行指示が与えられると、画像変換処理部８１において、画像変換処理が実行される（ステップＳ４）。すなわち、レシピファイルＲＦの内容に従って、写真原稿データＰＴ１に対する色空間変換処理と、画像補正処理とが実行される。これにより、ＣＭＹＫ表色系を有し、かつ、レシピファイルＲＦに記述された内容の画像補正が施された写真原稿データＰＴ２が生成される。
【００６２】
そして引き続き、レイアウト情報差替部８１８が、写真レイアウト情報ＬＩ１のファイル情報を、レイアウトに用いた写真原稿データＰＴ１からＣＭＹＫ変換後の写真原稿データＰＴ２へと書き換える。この書き換えに伴い新たな写真レイアウト情報ＬＩ２が作成される。これが画像差替処理である（ステップＳ５）。そして、この新たな写真レイアウト情報ＬＩ２を含むレイアウトデータＬＤが、印刷データとしてＲＩＰ処理に引き続き供される（ステップＳ６）こととなる。
【００６３】
図１０は、ＲＩＰ処理から出力処理に至るまでの流れを説明する図である。印刷データをＲＩＰ処理することにより、ＣＭＹＫの各色版に相当する分版データが生成されるので、これらの分版データを用いて、ＲＩＰ処理の妥当性や、印刷における色再現性をチェックするための校正刷りが実行される（ステップＳ７）。校正刷りは、印刷制御部８３の制御に基づき印刷部７７において実行してもよいし、印刷システム１が校正装置８を備える場合は、分版された印刷データを校正装置８に送り、校正装置８において実行してもよい。校正刷りにより得られるゲラ（校正印刷物）をチェックした結果、問題がなければ、そのまま、本格的な出力処理、すなわち印刷部７７による印刷が実行される（ステップＳ９）。あるいは、いったん記憶部７２に印刷データを保存しておき、操作部７３を通じたオペレータの指示に応じて、印刷が実行される。
【００６４】
校正刷りの結果が十分でない場合、例えば、ゲラにおいて写真原稿データに対し本来意図していた色が表現されていない場合は、写真原稿データに対するＣＭＹＫ変換、さらにはその後の画像補正処理をやり直す必要がある。本発明の場合は、レシピファイルＲＦに従ってこれらの処理が実行されているので、意図する色が印刷物において表現されるように、レシピファイルＲＦを再設定する必要がある。本発明においては、出力装置７に備わるレシピファイル生成部８１７によって、既存のレシピファイルＲＦの修正や、新たなレシピファイルＲＦの設定が可能であるので、レシピファイル生成部８１７においてレシピファイルを再設定（ステップＳ１０）した後、引き続き画像変換処理部８１において再画像変換処理（ステップＳ１１）を行うことができる。
【００６５】
例えば、写真原稿データＰＴ１の被写体である人物の肌の色が、ゲラにおいてはやや青みがかっているとすると、本来意図する仕上がりに比して、不健康な印象を与えてしまうことになる。こうした場合は、画像変換処理部８１の色調補正部８１４が、当初のレシピファイルＲＦにおける設定されているＣ（シアン）のトーンカーブ設定よりも、中間調をより落としたトーンカーブに従って補正処理を実行するように、レシピファイルＲＦの設定内容を変更する必要がある。
【００６６】
このようにレシピファイルＲＦを修正した後、画像変換処理部８１において写真原稿データＰＴ１に対して再画像変換処理を実行する。そして新たに得られる印刷データに対してＲＩＰ処理、さらには校正刷りを実行する。再度の校正刷りの結果、不具合が改善されていれば、以降は通常の出力処理に移ることができる。さらに不具合が生じれば、再びレシピファイルの再設定からやり直すことになる。
【００６７】
なお、レシピファイルＲＦは個々の写真原稿データごとに個別に設定されているので、それらの処理の際には、色校正において問題がある写真原稿データについてのみ、処理を行えばよい。すなわち、出力装置７における処理のみ、さらには再処理が必要な写真原稿データのみで修正作業が完結するので、レイアウトデータ作成装置４に戻って、レイアウトデータ全体について修正処理を行う必要がない。
【００６８】
以上、説明したように、本発明に係る出力装置７においては、ＲＩＰ処理とその後の印刷処理とを行うことに加えて、ＲＧＢ表色系にて与えられた写真原稿データを印刷用のＣＭＹＫ表色系を有するデータに変換し、所定の補正処理を行う画像変換処理を実行するうえ、さらには画像変換処理の処理内容についての設定ファイルであるレシピファイルを生成および修正することが可能である。これにより、校正刷りの結果、ある写真原稿データの色再現性に不具合があった場合であっても、出力装置７においては、不具合のある写真原稿データについてのみに対応するレシピファイルを再設定し、その再設定後のレシピファイルに基づいて再画像変換処理を行うことができる。レイアウトデータ作成装置にまで遡って、レイアウトデータ全体に対して修正処理を行う必要がなくなるので、修正に伴う印刷処理の遅延を抑制でき、さらには処理フローの混乱による生じる不具合の発生を抑制することができる。
【００６９】
＜変形例＞
上述の実施の形態では、画像変換処理の設定ファイルとしてレシピファイルを用いているが、ＸＭＬ（ｅＸｔｅｎｓｉｂｌｅ　Ｍａｒｋｕｐ　Ｌａｎｇｕａｇｅ）形式で記述されるＪＤＦ（Ｊｏｂ　Ｄｅｆｉｎｉｔｉｏｎ　Ｆｏｒｍａｔ）ファイルをレシピファイルとして利用する態様であってもよい。印刷のワークフローにおいて汎用性のあるＪＤＦファイルを用いることで、画像変換処理だけでなく、他の処理をも含めた統合的な処理についての設定が可能となる。
【００７０】
また、上述の実施の形態においては、出力装置７は印刷部７７を備え、ＲＩＰ処理後の分版データに基づいて、印刷を行う態様であったが、これに代わり、出力装置７から分版データに基づいて製版フィルムが作成される態様、例えば、出力装置７がＲＩＰ処理機能を備えるイメージセッタとして実現される態様や、もしくは、出力装置７において分版データに基づき直接に刷版が作成される態様、すなわち、出力装置７がＲＩＰ処理機能を備えたＣＴＰ（Ｃｏｍｐｕｔｅｒ　Ｔｏ　Ｐｌａｔｅ）装置として実現される態様であってもよい。これらの場合、校正装置８として、ケミカル校正装置や、平台校正装置等を用いることができる。
【００７１】
あるいは、上述の実施の形態においては、出力装置７において画像変換処理から出力に至るまでの処理を担っているが、画像変換処理とＲＩＰ処理とを行うＲＩＰ装置と、出力装置とが分離した態様であってもよい。この場合でも、ＲＩＰ処理までを前者のＲＩＰ装置で行い、後者の出力装置に印刷データを受け渡すことで、本発明の効果を得ることができる。
【００７２】
【発明の効果】
以上、説明したように、請求項１ないし請求項１０の発明によれば、ラスタライズ処理を行う印刷データ処理装置において、レイアウト情報が付加された設定ファイルに基づき、第１写真原稿データを印刷に適した第２写真原稿データに変換し、写真がレイアウトされた状態に適した画像補正を実行するので、レイアウトデータ作成装置における処理の負荷が軽減されるとともに、画像変換処理に際してマニュアルにてレイアウト情報を設定する必要がなくなるので、印刷データ作成処理を効率化しつつ、写真がレイアウトされた状態に適した画像補正を実行することが可能となる。
【００７３】
また、請求項２、および請求項７ないし請求項９の発明によれば、画像変換処理とラスタライズ処理とを一の装置において一連の処理として実行することができるので、ラスタライズに至るまでの処理を効率化することができる。
【００７４】
また、請求項３ないし請求項６、請求項８、および請求項９の発明によれば、不具合のある写真原稿データについてのみ再画像変換処理を行い、印刷データを作り直すことができる。これにより、レイアウトデータ作成装置にまで遡って、レイアウトデータ全体に対して修正処理を行う必要がなくなるので、修正に伴う処理の遅延を抑制でき、さらには処理フローの混乱による生じる不具合の発生を抑制することができる。
【００７５】
また、請求項４の発明によれば、デジタルカメラで取得された写真データを印刷に適した写真原稿データとして利用することができる。
【００７６】
また、請求項５の発明によれば、デジタルカメラで取得された写真データを、その色再現性を維持しつつ、印刷に適した写真原稿データとして利用することができる。
【図面の簡単な説明】
【図１】本発明の実施の形態に係る印刷システム１の構成を示す図である。
【図２】写真原稿作成装置３の制御部３１において実現される機能を説明するための図である。
【図３】レイアウトデータ作成装置４の制御部４１において実現される機能を説明するための図である。
【図４】レシピファイルＲＦのファイル構造を模式的に示す図である。
【図５】特性設定パラメータ６２の設定項目を一覧として示す設定項目テーブルＴＢＬ１を示す図である。
【図６】代表的な被写体の画像処理に際して要求される画像補正の内容を、一覧として示す補正内容テーブルＴＢＬ２を示す図である。
【図７】微調整パラメータ６３の代表的な処理メニューを示す微調整メニューテーブルＴＢＬ３を示す図である。
【図８】出力装置７の制御部７１において実現される機能を説明するための図である。
【図９】レイアウトデータの作成から、ＲＩＰ処理に至るまでの処理の流れを説明する図である。
【図１０】ＲＩＰ処理から出力処理に至るまでの流れを説明する図である。
【図１１】従来の印刷物のレイアウト処理の流れを説明する図である。
【符号の説明】
１　印刷システム
２　デジタルカメラ
３　写真原稿作成装置
４　レイアウトデータ作成装置
６　イメージスキャナ
７　出力装置
８　校正装置
ＬＤ　レイアウトデータ
ＲＦ、ＲＦ１　レシピファイル
ＴＢＬ１　設定項目テーブル
ＴＢＬ２　補正内容テーブル
ＴＢＬ３　微調整メニューテーブル
【図１】
2004058438.tif 000003
【図２】
2004058438.tif 000004
【図３】
2004058438.tif 000005
【図４】
2004058438.tif 000006
【図５】
2004058438.tif 000007
【図６】
2004058438.tif 000008
【図７】
2004058438.tif 000009
【図８】
2004058438.tif 000010
【図９】
2004058438.tif 000011
【図１０】
2004058438.tif 000012
【図１１】
2004058438.tif 000013